(57)【特許請求の範囲】
【請求項１】
自動販売機あるいは両替機において、正規硬貨か不正硬貨かを検知する検銭センサーにより、不正硬貨が投入されたことが検知されないか、あるいは正規硬貨が投入されたと検知され、かつ硬貨の返却操作の連続操作回数が設定回数に達しない状況で硬貨の返却操作が所定の比率以上に行われたときに、硬貨の返却を停止すると共に、不正硬貨使用者をカメラで撮影し、異常表示を行うことを特徴とする不正硬貨使用防止システム。
【発明の詳細な説明】
【０００１】
【発明の属する技術分野】
本発明は、各種自動販売機あるいは逆両替機を含む両替機などに用いられ、最近、横行している偽造・変造された不正硬貨の使用に対抗する不正硬貨使用防止システムに関するものである。
なお、本発明において、各種自動販売機には、飲料、煙草、キップ、本、その他物品の自動販売機の他、各種ゲーム機、パチンコ玉やスロットマシンメダル等の遊技媒体貸機等も含まれるものとする。
【０００２】
【従来の技術】
従来の自動販売機や両替機においては、硬貨が挿入された際に硬貨選別装置で正規硬貨と判定されなかった場合、一般的にはその硬貨を不正硬貨として本体内の硬貨返却通路を通して本体外面の硬貨返却口にそのまま返却している。
このような自動販売機や両替機では、硬貨選別装置の性能を上げることによって、変造・偽造された不正硬貨が使用された場合に、かなりの確率で排除することができるものの、さらに別の方法で変造・偽造された不正硬貨の使用があとを絶たないのが実情である。
【０００３】
特に、上記した従来の自動販売機や両替機の場合、変造・偽造された不正硬貨が正規硬貨と判定されなかったとき、その硬貨をそのまま返却口に返却するようにしているため、不正硬貨の使用を簡易に数回繰り返して試みることができ、その内にそれが正規硬貨と判定されてしまうことがあった。
最近では、韓国の５００ウォン変造硬貨による自動販売機や両替機荒らしが横行しており、遊技機業界等でもこの５００ウォン変造硬貨によるメダル貸機、パチンコ玉貸機荒らしに対しての新たな対策が必要となっている。
【０００４】
【発明が解決しようとする課題】
本発明は、以上の問題に対処するためになされたものであり、その課題の一つは、偽造・変造された不正硬貨の使用を低コストで、より効果的に防ぐことができる不正硬貨使用防止システムを提供することにある。
また、本発明のもう一つの課題は、偽造・変造された不正硬貨を不正使用する意欲を減退させることによって、不正硬貨の使用をより効果的に防止することができる不正硬貨使用防止システムを提供することにある。
【０００５】
【課題を解決するための手段】
上記課題を解決するため、本発明に係る不正硬貨使用防止システムは、自動販売機あるいは両替機において、正規硬貨か不正硬貨かを検知する検銭センサーにより、不正硬貨が投入されたことが検知されないか、あるいは正規硬貨が投入されたと検知され、かつ硬貨の返却操作の連続操作回数が設定回数に達しない状況で硬貨の返却操作が所定の比率以上に行われたときに、硬貨の返却を停止すると共に、不正硬貨使用者をカメラで撮影し、異常表示を行うことを特徴とするものである。
【０００９】
【発明の実施の形態】
以下に本発明の実施の形態を図１乃至図７に基づいて説明する。
図１は本発明の実施形態に係る不正硬貨使用防止システムにおける硬貨選別装置の詳細構成図、図２は同硬貨選別装置の硬貨貯留部の正面図（Ａ）とその側面図（Ｂ）、図３は同不正硬貨使用防止システムの制御ブロック図、図４および図５はその制御フローチャート図、図６は同不正硬貨使用防止システムを適用した両替機の斜視図、図７はその前面扉を開いた状態の斜視図である。
【００１０】
先ず、両替機の全体構成について説明する。
図６、７中において、１は両替機本体であり、前面側には前面扉２が錠前３によって開閉可能に設けられている。
前面扉２の表面側には、イルミネーション４を設けた紙幣投入口５、イルミネーション６を設けた紙幣取出口７、両替金額の表示部８、硬貨投入口９、返却ボタン１０、どのように両替するかを選択する複数個の両替選択ボタン１１、イルミネーション１２を設けた硬貨取出口１３等が設けられている。
【００１１】
また、前面扉２の紙幣投入口５付近および中央上部の２ケ所には、アクリルのスモーク等で隠され、外からは内側が分からないようにされたカメラ窓１４および１５が設けられている。
更に、両替機本体１の上面には、異常表示灯１６が設けられていると共に、背面には、コインリフター１７が設けられている。
【００１２】
一方、前面扉２の内側には、カメラ窓１４および１５に対応してカメラ１８および１９が設けられると共に、後述する硬貨選別装置（コインセレクタ）２０、扉金庫２１、硬貨取出口１３に繋がる硬貨返却口２２等が設けられている。
また、両替機本体１の内部には、電源部２３、ＣＰＵ等が内蔵されている制御ボックス２４、硬貨タンク２５、硬貨払出装置２６、硬貨払出シュート２７、紙幣識別装置２８等の両替機を構成する機器が設置されている。
【００１３】
硬貨選別装置２０は、図１の詳細構成図に示すように、硬貨投入口９から硬貨選別装置２０に投入された硬貨２９が、正規硬貨（正規の日本硬貨）か不正硬貨（例えば、５００ウォン変造硬貨等）かを検銭センサー３０によって検知し、正偽貨振り分けソレノイド３１を作動して通路切替え弁３２を切替え、正規硬貨の場合には硬貨受入れ通路３３から正規硬貨を受入れ、不正硬貨の場合には硬貨返却通路３４側に送るよう構成されている。
【００１４】
なお、硬貨選別装置２０内には、図示省略されている硬貨の詰まりを検知する第１通過センサー３５が設けられている。
また、硬貨の種類が２種以上のときは、正規硬貨を受入れるための硬貨受入れ通路３３、正偽貨振り分けソレノイド３１および通路切替え弁３２がそれぞれの数だけ設けられることになる。
【００１５】
硬貨返却通路３４には、通過する不正硬貨の枚数を検知する第２通過センサー３６が設けられており、不正硬貨が連続して設定枚数通過したときに、それを検知して保留板駆動ソレノイド３７によって硬貨保留板３８を駆動し、図２に示すように硬貨返却通路３４を遮断することにより、硬貨返却口２２からの不正硬貨の返却を停止すると共に、異常表示灯１６により異常表示を行って、硬貨の受入れを停止するよう構成されている。なお、硬貨返却通路３４側に送られた不正硬貨を第２通過センサー３６を設けて検知するようにしているが、検銭センサー３０の検知信号によって代用することができる。
【００１６】
硬貨返却通路３４側に送られた不正硬貨は、図２に示すように、第２通過センサー３６により連続して設定枚数通過したことが検知されると、保留板駆動ソレノイド３７により硬貨保留板３８が駆動されて硬貨返却通路３４が遮断されるため、硬貨保留板３８より上流側の硬貨返却通路３４に形成された硬貨貯留部３９内に貯留されるようになっている。なお、硬貨保留板３８は、保留板駆動ソレノイド３７が非励磁状態のとき、常にバネ４０の作用によって硬貨返却通路３４を開放する位置に復帰されるようになっている。また、硬貨貯留部３９を硬貨返却通路３４内に形成しているが、通路外に別に設けてもよい。
【００１７】
図３は制御ブロック図であり、両替機全体の制御を司るＣＰＵ４１を備えており、このＣＰＵ４１には、硬貨選別装置２０のＭＰＵ４２が接続され、同ＭＰＵ４２を介して硬貨選別装置２０の検銭センサー３０、第１通過センサー３５、正偽貨振り分けソレノイド３１等の入出力をコントロールしている。
同様にＣＰＵ４１は、硬貨返却通路３４に設けられている第２通過センサー３６、保留板駆動ソレノイド３７および返却ボタン１０の内側に設けられ、返却ボタン１０が押されるとアクチュエータが押されて作動するマイクロスイッチ等からなる返却ボタン検知センサー４３等の入出力をコントロールしている。
【００１８】
また、ＣＰＵ４１は、両替選択ボタン１１の操作を操作装置４４を介して入力し、紙幣識別装置２８、硬貨払出装置２６等を制御して選択された両替処理をすると共に、金額表示部８に両替金額を表示する表示装置４５を作動する機能、不正硬貨の使用が検知されたときに異常出力装置４６を介して異常表示灯１６（および／またはアラーム）を作動する機能、不正硬貨の使用により不正硬貨使用防止システムが機能したときに第１および第２トリガー出力装置４７、４８を介してカメラ１８および１９を作動する第１および第２画像入出力装置４９、５０等をコントロールしている。
更に、ＣＰＵ４１は、ＲＯＭ５１およびＲＡＭ５２を有している。
【００１９】
次に、図４、図５に示すフローチャート図に基づいて、上記した不正硬貨使用防止システムの作用を説明する。
先ず、図４に示すように自動販売機あるいは両替機が、硬貨受入れが可能になっていない状態では、システムはスタート状態を維持している。
自動販売機あるいは両替機が、硬貨の受入れが可能な状態になると、硬貨を受入れを開始し、受入れられた硬貨について検銭センサー３０が、それが正規硬貨か不正硬貨かを検知する。
【００２０】
検銭センサー３０が正規硬貨であることを検知すると、正偽貨振り分けソレノイド３１により通路切替え弁３２が硬貨受入れ通路３３側に切替えられ、正規硬貨を受け入れる。
正規硬貨が受け入れられると、前ｎ回の返却平均値を計算して硬貨の受入れ枚数分だけ前ｎ回の返却平均値を下げると共に、連続カウントをクリア（＝０）して受入れ金額を表示し、ＥＮＤとなる。
【００２１】
不正硬貨が使用されたことが検知されると、不正硬貨は硬貨返却通路３４側に送られ、第２通過センサー３６によってその通過枚数が検知され、前ｎ回の返却平均値を計算して不正硬貨の通過分だけ前ｎ回の返却平均値を上げると共に、連続カウントに硬貨１枚につき１をプラスする。
そして、図４のフローチャート図に示すように、以下の２通りの不正行為に対する対応処理を実行する。
【００２２】
（１）不正硬貨が連続して或る枚数使用されたことを第２通過センサー３６が検知して連続カウント＝Ｘになったときに、保留板駆動ソレノイド３７を介して硬貨保留板３８を駆動し、これによって不正硬貨の返却を停止すると共に、第２トリガー出力装置４８および画像入出力装置５０を介してカメラ１９で不正硬貨使用者を撮影し、更に異常出力装置４６を介して異常表示灯１６により異常表示を行った後、システムを停止している。
【００２３】
（２）不正硬貨が連続して使用されていることが第２通過センサー３６によって検知されていないが、第２通過センサー３６により検知された不正硬貨の返却率が、前ｎ回の返却率≧Ｙのときには、不正行為が行われているとして、不正硬貨を硬貨返却口２２から返却すると共に、第１トリガー出力装置４７および画像入出力装置４９を介してカメラ１８で不正硬貨使用者を撮影し、更に異常出力装置４６を介して異常表示灯１６により異常表示を行っている。
【００２４】
一方、精巧な不正硬貨が使用されており、不正硬貨であることが検知されなかった場合には、システムは正規硬貨が使用された状態と同様に動作し、図５のフローチャート図に示すように、硬貨受入れ有り？＝Ｙと判断する。
この場合、引き続いて返却ボタン１０と両替の選択ボタン１１が操作されるので、その操作からの不正行為に対する対応処理を以下に説明する。
【００２５】
（３）先ず、返却ボタン１０のみが操作された場合は、返却ボタン１０の操作回数をカウントしてその回数が設定回数Ｘ1 に達したとき、これを基準にして不正が行われていると判断し、保留板駆動ソレノイド３７を介して硬貨保留板３８を駆動することにより硬貨の返却を停止すると共に、第２トリガー出力装置４８および画像入出力装置５０を介してカメラ１９で不正硬貨使用者を撮影し、更に異常出力装置４６を介して異常表示灯１６により異常表示を行った後、システムを停止している。
【００２６】
これは、正規硬貨が使用された場合に返却ボタン１０が繰り返し操作されるのは、硬貨の投入間違い、あるいは商品選択間違いなどであり、返却ボタン１０を連続して操作する回数も少ないと考えられるので、正規硬貨を使用して操作間違いをしたときの連続操作回数を或る値Ｘ1 と設定しておけば、この設定回数より返却ボタン１０の操作回数が多いか少ないかによって、正規硬貨を投入した際の操作間違いか、不正硬貨を投入して不正行為を働いているかを選別して認識することができることを基準にしている。
【００２７】
（４）次に、返却ボタン１０と両替選択ボタン１１の両方が交互あるいは或る比率で操作された場合は、返却ボタン１０の操作回数のカウント＝Ｘ1 が両替選択ボタン１１を操作する度にクリアされるが、前ｍ回の返却ボタン１０の操作回数による返却ボタン率を計算し、この返却ボタン率が≧Ｙ1 となったとき、保留板駆動ソレノイド３７を介して硬貨保留板３８を駆動することにより硬貨の返却を停止すると共に、第２トリガー出力装置４８および画像入出力装置５０を介してカメラ１９で不正硬貨使用者を撮影し、更に異常出力装置４６を介して異常表示灯１６により異常表示を行った後、システムを停止している。
【００２８】
また、返却ボタンが操作された時、返却ボタン率が設定値Ｙ1 に達しないときは、返却ボタンカウントに＋１カウントし、返却ボタンの操作カウントがＸ1 になった時、不正硬貨を返却すると共に、第１トリガー出力装置４７および画像入出力装置４９を介してカメラ１８で不正硬貨使用者を撮影し、更に異常出力装置４６を介して異常表示灯１６により異常表示を行っている。
更に、両替選択ボタン１１のみが操作されたときには、返却ボタンカウントをクリア（＝０）して、要求されている両替を行うようにしている。
【００２９】
以上のように本システムでは、硬貨が連続して硬貨返却通路を通過したり、また或る一定の回数あるいは時間内で著しく返却率が上がったりした場合に、硬貨の返却を停止したり、不正硬貨を返却したり、あるいは外部に対して異常表示を行い、更にはカメラで不正硬貨使用者を撮影したりするようにしているため、これによって不正行為を防止できると共に、変造・偽造等の不正硬貨を使用する意欲を減退させ、不正硬貨の使用をより効果的に、しかも余計なコストをかけることなく容易に防止することができるようになる。
【００３０】
また、返却率、返却回数等に応じて、カメラによる撮影を使用者の返却口付近の画像（トリガー出力装置４７）と上半身の画像（トリガー出力装置４８）のいずれかを取り込むことによって、通常行われている画像の垂れ流し、あるいは全動作時の画像の取り込みと比較して、より効果的に画像データ量を縮小できるシステムとすることができる。
【００３１】
【発明の効果】
以上に説明したように、本発明に係る不正硬貨使用防止システムによると、自動販売機あるいは両替機において、不正硬貨使用による不正行為を硬貨の返却を停止したり、不正硬貨を返却したり、あるいはカメラによる撮影、外部への異常表示等によって、より効果的に防止することができる。
また、不正硬貨の返却を停止して自動販売機あるいは両替機に貯留することにより、不正硬貨を使用する意欲を起こさないようにすることができ、これによって不正硬貨の使用を防ぐことができる。
【図面の簡単な説明】
【図１】本発明の実施形態に係る不正硬貨使用防止システムにおける硬貨選別装置の詳細構成図である。
【図２】図１に示す硬貨選別装置の硬貨貯留部の正面図（Ａ）とその側面図（Ｂ）である。
【図３】本発明の実施形態に係る不正硬貨使用防止システムの制御ブロック図である。
【図４】本発明の実施形態に係る不正硬貨使用防止システムの制御フローチャート図である。
【図５】本発明の実施形態に係る不正硬貨使用防止システムの他の制御フローチャート図である。
【図６】本発明の実施形態に係る不正硬貨使用防止システムを適用した両替機の斜視図である。
【図７】図６に示す両替機の前面扉を開いた状態の斜視図である。
【符号の説明】
１…両替機本体、１０…返却ボタン、１１…両替選択ボタン、１６…異常表示灯、１８，１９…カメラ、２９…硬貨、３０…検銭センサー、３４…硬貨返却通路、３８…硬貨保留板
【図１】
0004082772.tif 000002
【図２】
0004082772.tif 000003
【図３】
0004082772.tif 000004
【図４】
0004082772.tif 000005
【図５】
0004082772.tif 000006
【図６】
0004082772.tif 000007
【図７】
0004082772.tif 000008